(57)【要約】      （修正有）【課題】保形機能が有って転倒防止や保管性に優れ、塵埃の堆積や湿気や臭気等の汚染からブーツを保護することも可能である上、操作も簡便で、低コストでありながら見栄えのするブーツキーパを提供する。【解決手段】胴部に頭部８及び両手足７が配設され全体としてぬいぐるみの形態をなす型崩れ防止構造体２と、このぬいぐるみ形態の型崩れ防止構造体に着せる洋服の形態をなすブーツカバー体３とからなり、両足が、互いに一定の距離に近接して胴部に垂設されてそれぞれブーツに挿入してそれらの型崩れを防止するブーツキーパ本体をなし、一端が一方のブーツキーパ本体と胴部との連結部位に固着され、他端が他方のブーツキーパ本体と胴部との連結部位に固着されて両ブーツキーパ本体を長手方向に囲むように輪状に設けられる保持ベルトを有し、頭部には輪状の吊り具が固着されて構成される。【選択図】図１
0003134459.tif 000002
【実用新案登録請求の範囲】
【請求項１】
一対のブーツの胴筒部に挿入して該胴筒部を直立した形状に保持する一対のブーツキーパ本体と、これらのブーツキーパ本体を互いに一定の距離に近接して保持する該ブーツキーパ本体の上部に配設される連結体とを備え、該ブーツキーパ本体は、柱状乃至筒状に形成された硬質の芯材と、該芯材の外周を囲繞するクッション材と、クッション材の外面を被覆する外装カバー体とから構成され、該連結体は、その下部に一対のブーツキーパ本体を垂設し得る一定の大きさ及び形状に形成され、該連結体の下部に一対の該ブーツキーパ本体が垂設されてなることを特徴とするブーツキーパ。
【請求項２】
一対のブーツキーパ本体を一対のブーツの胴筒部に挿入した際にそれらブーツの胴筒部をそれらの上部から下部にかけて覆い得るブーツカバー体を備え、該ブーツカバー体がスカート様をなしていることを特徴とする請求項１記載のブーツキーパ。
【請求項３】
一端が一方のブーツキーパ本体の上側部に固着され、他端が他方のブーツキーパ本体の上側部に固着されて両ブーツキーパ本体を長手方向に囲むように輪状に設けられる保持ベルトを備え、一対のブーツのそれぞれの外底部に引っ掛けて、該ブーツを保持することが出来るように構成されることを特徴とする請求項１又は２記載のブーツキーパ。
【請求項４】
連結体は、意匠性を有する胴部をなし、該連結体の上部に意匠性を有する頭部を、側部に意匠性を有する一対の腕部を、下部にブーツキーパ本体となる意匠性を有する一対の足部を備えていることを特徴とする請求項１乃至３のいずれかに記載のブーツキーパ。
【請求項５】
ブーツカバー体は、前記胴部、腕部並びに足部を被覆可能であり、且、着脱可能な洋服の形態に構成されることを特徴とする請求項４記載のブーツキーパ。
【請求項６】
連結体乃至頭部は、所望のフック等にブーツキーパを引っ掛けて吊り下げるための吊り具を備えることを特徴とする請求項３乃至５のいずれかに記載のブーツキーパ。
【考案の詳細な説明】
【技術分野】
【０００１】
本考案は、ブーツの型崩れを防止すると共に、保管時におけるブーツの転倒を抑制し、またブーツを吊るして収納することが出来、ブーツカバーの役割を果たすことも可能なブーツキーパに関する。
【背景技術】
【０００２】
近年、比較的柔軟な素材や薄手の生地で構成されたブーツが増えてきている。このようなブーツの中でも特に、ロングブーツにあっては、ブーツを脱いだ時、ブーツの胴筒部が容易に折れ曲がり、その折れ曲がり部に癖やシワが発生し、ブーツの型崩れを招くということが問題となっている。そのような型崩れを防止する目的で、従来、様々な形態のブーツキーパが提案されている。
【０００３】
例えば、特許文献１のブーツ保形具は、ブーツの胴筒部の内周面に圧接可能な対向一対の保形体を、該胴筒部内において広げて弾圧配設することで保形することが出来るように構成され、ブーツの胴筒部の型崩れを防止するようになっている。この保形具によれば、ブーツ胴筒部の保形効果は得られるものの、保形具の設置に若干手間が掛かる上、転倒防止についての検討はなされていないため、保管時にブーツが転倒し易いという問題がある。この点を改善している文献としては、次の特許文献２を挙げることが出来る。
【０００４】
特許文献２のブーツ支持具は、伸縮可能な支柱の上端にクリップが、下端にブーツを載置する台がそれぞれ取り付けられてなり、適宜の高さ位置で一対のブーツを該クリップで摘まんで留めることで、保形効果と転倒防止効果が得られるように構成されている。このブーツ支持具によれば、構造が単純であり、操作が簡便であるが、見栄えせず、長期の保管時においてはブーツの内外に塵埃が堆積するという問題がある。ブーツ内に塵埃が堆積するのを防止することが出来る構造としては、特許文献３を挙げることが出来る。
【０００５】
特許文献３のブーツホルダーは、一対の足形状をなす空気袋が吊り下げ用の紐で連結されてなり、使用時には、該空気袋をそれぞれ左右のブーツ内に挿入し、膨らませて壁等に予め設けられたフックに吊り下げ用の紐を引っ掛け、吊るして保管することが出来るように構成されている。このブーツホルダーによれば、ブーツを全体的に保形出来、吊り下げて保管出来るので転倒防止効果も有る。更に、ブーツ内に塵埃が進入することを防止することが出来る。しかしながら長期間の保管時に、ブーツの外面に塵埃が堆積するという問題は解決されていない上、ブーツ内には湿気や臭気が籠もってしまい、カビや悪臭の原因となるという問題がある。このような湿気や臭気の発生を防止するブーツの保管用具については、次の特許文献４に開示されている。
【０００６】
特許文献４のブーツ用除湿具は、吸湿剤が収納された吸湿剤収納体と、これに一体的に連結されたブーツの足首部の型崩れを防止する保形材とからなり、ブーツ内のフット部に該吸収剤収納体を挿入しつつ、該保形材をブーツ内の足首部に挿入することで、ブーツの保形効果と吸湿効果とを得られるように構成されている。しかし、このブーツ用除湿具は転倒防止機能や塵埃の堆積等からブーツを保護する機能については考慮されていない。
【特許文献１】特開２００３−１５９１０２号公報
【特許文献２】特開２００３−２３５６１０号公報
【特許文献３】実用新案登録第３０９５７３０号公報
【特許文献４】特開２００２−３４５７２１号公報
【考案の開示】
【考案が解決しようとする課題】
【０００７】
以上説明した通り、従来のブーツキーパにおいては、保形機能の他、転倒防止や保管性、或いは塵埃の堆積防止や除湿や消臭機能等様々な機能や性能、効果等が求められるもののそれらの要求に総合的に応えるものはなかった。
【０００８】
本考案は、上記問題点に鑑みてなされたものであり、保形機能が有って転倒防止や保管性に優れ、塵埃の堆積や湿気や臭気等からブーツを保護することも可能である上、操作も簡便で、低コストでありながら見栄えのするブーツキーパを提供せんとするものである。
【課題を解決するための手段】
【０００９】
上記課題を解決するために本考案のブーツキーパが採った手段は、一対のブーツの胴筒部に挿入して該胴筒部を直立した形状に保持する一対のブーツキーパ本体と、これらのブーツキーパ本体を互いに一定の距離に近接して保持する該ブーツキーパ本体の上部に配設される連結体とを備え、該ブーツキーパ本体は、柱状乃至筒状に形成された硬質の芯材と、該芯材の外周を囲繞するクッション材と、クッション材の外面を被覆する外装カバー体とから構成され、該連結体は、その下部に一対のブーツキーパ本体を垂設し得る一定の大きさ及び形状に形成され、該連結体の下部に一対の該ブーツキーパ本体が垂設されてなることを特徴とする。
【００１０】
又、一対のブーツキーパ本体を一対のブーツの胴筒部に挿入した際にそれらブーツの胴筒部をそれらの上部から下部にかけて覆い得るブーツカバー体を備え、該ブーツカバー体がスカート様をなしていることを特徴とする。
【００１１】
又、一端が一方のブーツキーパ本体の上側部に固着され、他端が他方のブーツキーパ本体の上側部に固着されて両ブーツキーパ本体を長手方向に囲むように輪状に設けられる保持ベルトを備え、一対のブーツのそれぞれの外底部に引っ掛けて、該ブーツを保持することが出来るように構成されることを特徴とする。
【００１２】
又、連結体は、意匠性を有する胴部をなし、該連結体の上部に意匠性を有する頭部を、側部に意匠性を有する一対の腕部を、下部にブーツキーパ本体となる意匠性を有する一対の足部を備えていることを特徴とする。
【００１３】
ブーツカバー体は、前記胴部、腕部並びに足部を被覆可能であり、且、着脱可能な洋服の形態に構成されることを特徴とする。
【００１４】
連結体乃至頭部は、所望のフック等にブーツキーパを引っ掛けて吊り下げるための吊り具を備えることを特徴とする。
【考案の効果】
【００１５】
本考案は、連結体の下部に一対のブーツキーパ本体を近接させて垂設したことによって、ブーツの型崩れを防止しつつ、一対のブーツを近接的に保持して転倒を防止し、安定した直立状態を得ることが出来ると共に、保持ベルトによって、ブーツをブーツキーパに一体的に保持しながら吊るして保管することが可能である。
【００１６】
また、本考案のブーツキーパは、全体として該ブーツキーパがぬいぐるみの形態をなし、意匠性の向上を図ることが出来て見栄えが良く、該ぬいぐるみの着せ替え可能な洋服の一部がブーツの胴筒部をその上部から下部にかけて覆うブーツカバー体をなし、これによって塵埃の堆積を防止することが出来、また一対のブーツキーパの下部には除湿剤乃至防臭剤を収容することが可能で、湿気や臭気等の汚染からブーツを保護することが可能である。
【考案を実施するための最良の形態】
【００１７】
本考案の実施の形態を、以下に添付図面を参照しながら詳細に説明する。図１は、本考案を適用してなるブーツキーパ(１)の使用状態の斜視図であり、図２は図１のＡ−Ａ’線一部省略断面図であり、図３は図１のＢ−Ｂ’線断面図である。図１乃至図３に示すように、本実施態様のブーツキーパ(１)は、一対のブーツ(Ｓ)をそれぞれ保形し型崩れを防止するための、動物を模してなるぬいぐるみの形態の意匠を有する型崩れ防止構造体(２)と、該ブーツ(Ｓ)の胴筒部(Ｔ)全体をそれらの上方から覆って塵埃等から保護するための、上記ぬいぐるみ用の洋服の形態をなすブーツカバー体(３)とから構成される。
【００１８】
図４に示す型崩れ防止構造体(２)は、前記ブーツカバー体(３)を、前記ぬいぐるみの形態をなす該型崩れ防止構造体(２)から脱がした状態を示すものである。図４に示すように、型崩れ防止構造体(２)は、高さ方向に長く延びた足の形態をなす一対のブーツキーパ本体(4a)(4b)と、これらのブーツキーパ本体(4a)(4b)を互いに一定の距離に近接して保持する該ブーツキーパ本体(4a)(4b)の上部に配設される胴部の形態をなす連結体(５)とを備える。この連結体(５)とブーツキーパ本体(4a)(4b)との連結部位には、一端が一方のブーツキーパ本体(4a)と連結体(５)との連結部位に固着され、他端が他方のブーツキーパ本体(4b)と連結体(５)との連結部位に固着されて両ブーツキーパ本体(4a)(4b)を長手方向に囲むように輪状に設けられる保持ベルト(６)が固着される。また、連結体(５)の側部には、対向して配設される左右の腕の形態をなす一対の腕部部材(７)と、該連結体(５)の上部に配設される犬の頭部乃至顔部を模してなる頭部部材(８)とが配設される。頭部部材(８)の後頭部の頂部には、ブーツキーパ(１)全体を壁等に吊り下げるための吊り具(９)が固着される。
【００１９】
一対のブーツキーパ本体(4a)(4b)は、一対のブーツ(Ｓ)の胴筒部(Ｔ)にそれぞれ一本ずつ挿入して該胴筒部(Ｔ)を直立した所定の形状に保持するためのものであり、それら二本のブーツキーパ本体(4a)(4b)はそれらの上部同士が連結体(５)を介して連結され、互いに一定の距離に近接して保持される。それぞれのブーツキーパ本体(4a)(4b)は、図２及び図３に示すように、高さ方向に長く延びた足の形態をなし、柱状乃至筒状に形成された硬質の長手方向に延びた芯材(10)と、該芯材(10)の外周を囲繞するクッション材(11)と、該クッション材(11)の外面を被覆する外装カバー体(12)とから構成される。尚、芯材(10)の長さは、ブーツキーパ本体(4a)(4b)の長さよりも長めにとられ、ブーツキーパ本体(4a)(4b)の下端から上端に亘って存在させると共に、該上端から連結体(５)の上部に亘って通される。
【００２０】
ブーツキーパ本体(4a)(4b)は、ブーツ(Ｓ)の胴筒部(Ｔ)の長さとほぼ同等の長さを有する。従って、ブーツ(Ｓ)に挿入した際におけるブーツキーパ本体(4a)(4b)の下端部は、ブーツ(Ｓ)内底面付近に位置しており、ブーツ(Ｓ)内における踵部から爪先部に亘る空間内の湿気や臭気を除去することが出来るように構成することが好ましい。そのため、ブーツキーパ本体(4a)(4b)の下端部には、透水性を有する容器に吸水剤を封入してなる吸水材や通気性を有する容器に脱臭剤を封入してなる脱臭材を収容してブーツ(Ｓ)内の湿気や臭気を除去することが出来るように構成することが望ましい。尚、吸水剤としては例えばシリカゲルを用いることが出来、脱臭剤としては例えば、活性炭を用いることが出来る。
【００２１】
連結体(５)は、その下部に一対のブーツキーパ本体(4a)(4b)を垂設し得る一定の大きさ及び形状に形成され、該連結体(５)の下部に一対の該ブーツキーパ本体(4a)(4b)が垂設されてなる。連結体(５)の内部には、ブーツキーパー本体(4a)(4b)内から延出した一対二本の芯材(10)が該連結体(５)の下部から上部に亘って通され、該芯材(10)の外周をクッション材(13)で囲繞し、該クッション材(13)の外面を動物の体毛を模した外装カバー体(14)で囲繞してなり、全体としては所定の容積を有する丸みを帯びた可撓性を有する胴部の形態をなしている。
【００２２】
保持ベルト(６)は、ブーツ(Ｓ)底部に引っ掛けるように該ブーツ(Ｓ)を覆って、ブーツキーパ(１)と該ブーツ(Ｓ)とを一体的に吊るすためのものであり、伸縮せず、可撓性を有する素材からなる所定の幅で所定の長さの帯状の部材からなり、長さ調整を可能とする長さ調整手段(15)を有して構成される。保持ベルト(６)は、その一端が一方のブーツキーパ本体(4a)(4b)と連結体(５)との連結部位の外側部に固着され、他端が他方のブーツキーパ本体(4a)(4b)と連結体(５)との連結部位の外側部に固着されて両ブーツキーパ本体(4a)(4b)を長手方向に囲むように輪状に設けられる。
【００２３】
腕部部材(７)は、長細く形成したクッション材（図示せず）を芯として、該クッション材の外面を動物の体毛を模した外装カバー体で囲繞して腕の形態に構成される。頭部部材(８)は、外観が犬の頭部乃至顔部を模して形成され、所定の形状及び大きさに形成されたクッション材（図示せず）を芯として、該クッション材の外面を動物の体毛を模した外装カバー体で囲繞して犬の頭部乃至犬の顔の形態に構成される。左右の頭上部には、それぞれ犬の耳の形態をなす耳部材(17)が固着され、目の位置には目部材(18)が、鼻の位置には鼻部材(19)が固着され、全体として犬の首より上部の形態を模した意匠性を付与してなる。そして、頭部部材(８)の後頭部の頂部には、ブーツキーパ(１)全体を予め壁等に取り付けられたフック等に吊り下げるための吊り具(９)が固着される。この吊り具(９)は、紐状の部材を輪状にして頭部部材(８)に固着してなる。
【００２４】
ブーツカバー体(３)は、図１に示すとおり、ぬいぐるみ用の洋服形状をなし、連結体(５)を覆う胴部被覆部(3a)と、該胴部被覆部(3a)の側部に一体に連結される、一対の腕部被覆部(3b)と、該胴部被覆部(3a)の下端に一体に連結される、スカート状の足部被覆部(3c)とから構成されるワンピース形態をなしている。勿論、スカート状の足部被覆部(3c)は、図５に示すように捲り上げることが出来、図６に示すように一対のブーツ(Ｓ)にそれぞれ左右のブーツキーパ本体(4a)(4b)を挿入した後に、捲り上げた足部被覆部(3c)を下げて該ブーツ(Ｓ)に被せることが出来る。
【００２５】
即ち、図１に示す本実施態様のブーツキーパ(１)は、型崩れ防止構造体(２)に対して、ワンピース形態のブーツカバー体(３)を着せてなり、該ブーツキーパ(１)をブーツ(Ｓ)に装着した状態を示している。尚、本実施態様のブーツキーパ(１)は、ブーツ(Ｓ)にブーツキーパ本体(4a)(4b)を挿入した状態で、保持ベルト(６)を該ブーツ(Ｓ)の底部に引っ掛け、該保持ベルト(６)の長さ調節を行なって適当な長さに設定すれば、壁等に予め取り付けられたフックに吊り具を引っ掛けて該ブーツ(Ｓ)を該ブーツキーパ(１)と一体的に吊るして保管することが出来る。
【図面の簡単な説明】
【００２６】
【図１】本実施態様のブーツキーパの使用状態を示す斜視図
【図２】図１のＡ−Ａ’線断面図
【図３】図１のＢ−Ｂ’線断面図
【図４】ブーツキーパの型崩れ防止構造体の構成を示す斜視図
【図５】ブーツキーパのブーツカバー体を捲り上げた状態を示す斜視図
【図６】図１におけるブーツキーパのブーツカバー体を捲り上げた状態を側面から見た斜視図
【符号の説明】
【００２７】
１  ブーツキーパ
２  型崩れ防止構造体
３  ブーツカバー体
3a  胴部被覆部
3b  腕部被覆部
3c  足部被覆部
4a  ブーツキーパ本体
4b  ブーツキーパ本体
５  連結体
６  保持ベルト
７  腕部部材
８  頭部部材
９  吊り具
１０  芯材
１１  クッション材
１２  外装カバー体
１３  クッション材
１４  外装カバー体
１５  長さ調整手段
１７  耳部材
１８  目部材
１９  鼻部材
Ｓ  ブーツ
Ｔ  胴筒部
【図１】
0003134459.tif 000003
【図２】
0003134459.tif 000004
【図３】
0003134459.tif 000005
【図４】
0003134459.tif 000006
【図５】
0003134459.tif 000007
【図６】
0003134459.tif 000008